(57)【要約】【課題】収納が効率的に行え、住む人の暮らしに合わせて収容態様を変化させていくことができ、更に、収容以外の目的にも利用可能とする。【解決手段】クローゼット１の前面壁３は開口３ａによって左前壁部３１と右前壁部３２とに分けられている。前記開口３ａには折戸型の扉３３が設けられている。クローゼット空間２には前記開口３ａから前記奥側壁４の方向へと入り込むウォークイン空間が存在しており、これによって前記クローゼット空間２は前記左前壁部３１から前記奥側壁４に至る左側クローゼット空間と前記右前壁部３２から前記奥側壁４に至る右側クローゼット空間とに分けられる。各空間の奥側壁４等に配置した棚受けレール７１によって棚板７２やハンガーパイプ７３を配置できる。【選択図】図１
2011179221.tif 000002
【特許請求の範囲】
【請求項１】
クローゼット空間を形成する前面壁と奥側壁と左側壁と右側壁のうち前記前面壁に人が出入りするための開口及びこの開口を開閉する扉が設けられ、前記前面壁は前記開口によって左前壁部と右前壁部とに分けられ、前記開口から前記奥側壁の方向への入り込みを許容するウォークイン空間によって、前記クローゼット空間は、前記左前壁部から前記奥側壁に至る左側クローゼット空間と前記右前壁部から前記奥側壁に至る右側クローゼット空間とに分けられ、前記左側クローゼット空間及び右側クローゼット空間にはハンガーパイプを設置高さ調整可能に配置させるレール構造部がそれぞれ設けられていると共に少なくとも一方の空間側のレール構造部は板部材も配置できるように設けられていることを特徴とするクローゼット。
【請求項２】
請求項１に記載のクローゼットにおいて、前記前面壁における前記左前壁部と前記右前壁部の一方の幅は他方の幅よりも広く、広い方の壁部である右側又は左側のクローゼット空間に前記板部材が配置されるように前記レール構造部が設けられていることを特徴とするクローゼット。
【請求項３】
請求項２に記載のクローゼットにおいて、前記扉として折戸型の扉が前記幅の狭い方の壁部の側に折り畳まれるように設けられており、この折り畳まれた状態の扉幅に前記狭い方の壁部の幅寸法を加算した寸法は、前記広い方の壁部の幅寸法に略等しいことを特徴とするクローゼット。
【請求項４】
請求項１に記載のクローゼットにおいて、前記前面壁における前記左前壁部と前記右前壁部の一方の幅は他方の幅よりも狭く、狭い方の壁部である右側又は左側のクローゼット空間に前記板部材が配置されるように前記レール構造部が設けられていることを特徴とするクローゼット。
【請求項５】
請求項１〜請求項４のいずれか１項に記載のクローゼットにおいて、前記奥側壁にハングバーが取り付けられていることを特徴とするクローゼット。
【発明の詳細な説明】
【技術分野】
【０００１】
この発明は、クローゼット内に人が出入りできるウォークイン型のクローゼットに関する。
【背景技術】
【０００２】
このようなウォークイン型のクローゼットに関して、特許文献１は、各部屋、廊下、玄関などに設置されるクローゼットの内部換気が行えるようにした構造を開示している。
【０００３】
また、特許文献２には、上部に棚やハンガーパイプを備える収納クローゼットにおいて、下部空間の収納性能を向上しながら上部空間のハンガーパイプに丈の長い衣類を掛けられるように、収納スペース内に前面及び上面が開放された収納ワゴンを出し入れ自在に組み込んだ構造が記載されている。また、このクローゼットにおいては、収容棚の左右側板の前面箇所にブラケット保持穴が上下方向に多数設けてあり、任意の高さのブラケット保持穴にハンガーパイプを掛け渡すブラケットを挿入係止する構造も開示している。
【先行技術文献】
【特許文献】
【０００４】
【特許文献１】特開２００３−１８４３２４号公報
【特許文献２】特開２００５−２６１５８０号公報
【発明の開示】
【発明が解決しようとする課題】
【０００５】
しかしながら、上記特許文献２に記載のクローゼットでは、ハンガーパイプの高さ調節は可能であるが、収納棚は固定的に設けられているので、収容態様の大きな変更は望めないし、しかも収容以外の目的に利用可能であるともいえない。また、上記特許文献１に記載のウォークインクローゼットは、収容以外の目的にも利用可能であると思われるものの、収容目的で用いることに関しては単なる収容の空間を提供しただけに過ぎず、暮らしに合わせて収容態様を変化させるためには、例えば、住人が自らの手でクローゼット内の壁面に棚を釘で打ちつけて固定するなどの作業が必要になり、またその後に収容以外の目的で用いようとした場合に、上記釘を抜いて棚を外すなどの作業が必要になる。
【０００６】
この発明は、収納が効率的に行え、住む人の暮らしに合わせて収容態様を変化させていくことができ、更に、収容以外の目的にも利用可能なクローゼットを提供することを課題とする。
【課題を解決するための手段】
【０００７】
この発明のクローゼットは、上記の課題を解決するために、クローゼット空間を形成する前面壁と奥側壁と左側壁と右側壁のうち前記前面壁に人が出入りするための開口及びこの開口を開閉する扉が設けられ、前記前面壁は前記開口によって左前壁部と右前壁部とに分けられ、前記開口から前記奥側壁の方向への入り込みを許容するウォークイン空間によって、前記クローゼット空間は、前記左前壁部から前記奥側壁に至る左側クローゼット空間と前記右前壁部から前記奥側壁に至る右側クローゼット空間とに分けられ、前記左側クローゼット空間及び右側クローゼット空間にはハンガーパイプを設置高さ調整可能に配置させるレール構造部がそれぞれ設けられていると共に少なくとも一方の空間側のレール構造部は板部材も配置できるように設けられていることを特徴とする。
【０００８】
上記の構成であれば、前記クローゼット空間は、前記ウォークイン空間と、これを挟むように位置する左側クローゼット空間及び右側クローゼット空間とに分けられることになり、利用者は前記ウォークイン空間に足を踏み入れ、前記左側クローゼット空間または右側クローゼット空間を利用して衣類等を収納したり或いは収納している衣類等を取り出すことができるようになる。すなわち、前記クローゼット空間が前記ウォークイン空間と左側クローゼット空間と右側クローゼット空間とに機能的に分けられたことによって、収納における作業及び空間利用が共に効率的に行えるようになる。そして、前記左側クローゼット空間及び右側クローゼット空間にはハンガーパイプや板部材を設置高さ調整可能に配置させるレール構造部が設けられているので、当該クローゼットにおける収容態様を、住む人の暮らしに合わせて容易に変化させていくことができる。従って、例えば住む人が自らの手でクローゼット内の壁面に棚を釘で打ちつけて固定するなどの作業を不要にできる。更に、前記ウォークイン空間に椅子を配置し、前記板部材としてデスク天板を所要高さに配置すれば、左側クローゼット空間または右側クローゼット空間をデスク空間とした簡易書斎や簡易子供部屋などとしてこのクローゼット利用することも可能である。
【０００９】
この発明のクローゼットにおいて、前記前面壁における前記左前壁部と前記右前壁部の一方の幅は他方の幅よりも広く、広い方の壁部である右側又は左側のクローゼット空間に前記板部材が配置されるように前記レール構造部が設けられていてもよい。このように、前記前面壁における前記左前壁部及び前記右前壁部の幅を相違させることで、前記左側クローゼット空間及び右側クローゼット空間において異なる収容態様を実現することなどが容易になる。
【００１０】
そして、前記の左前壁部及び前記右前壁部の幅を相違させる構成において、前記扉として折戸型の扉が前記幅の狭い方の壁部の側に折り畳まれるように設けられており、この折り畳まれた状態の扉幅に前記狭い方の壁部の幅寸法を加算した寸法は、前記広い方の壁部の幅寸法に略等しくされていてもよい。これによれば、折戸型の扉を折り畳んだ状態の当該扉の幅を考慮した右側クローゼット空間と左側クローゼット空間の広さを互いに略等しくできることになる。
【００１１】
また、この発明のクローゼットにおいて、前記前面壁における前記左前壁部と前記右前壁部の一方の幅は他方の幅よりも狭く、狭い方の壁部である右側又は左側のクローゼット空間に前記板部材が配置されるように前記レール構造部が設けられていてもよい。
【００１２】
また、この発明のクローゼットにおいて、前記奥側壁にハングバーが取り付けられていてもよい。これによれば、前記ハングバーを設けた近傍空間を中央奥クローゼット空間として利用できるようになる。
【発明の効果】
【００１３】
本発明であれば、クローゼット内の空間がウォークイン空間と左側クローゼット空間と右側クローゼット空間とに分けられることによって収納における作業及び空間利用が共に効率的に行えるようになる。そして、前記クローゼット空間にはハンガーパイプや板部材を設置高さ調整可能に配置させるレール構造部が設けられているので、当該クローゼットにおける収容態様を、住む人の暮らしに合わせて容易に変化させていくことができる。更に、前記ウォークイン空間を利用してそこに椅子を配置し、前記板部材としてデスク天板を所要高さで配置すれば、左側クローゼット空間または右側クローゼット空間をデスク空間とした簡易な書斎や子供部屋などとして利用できるようになる。
【図面の簡単な説明】
【００１４】
【図１】本発明の一実施形態に係るクローゼットを示した斜視図である。
【図２】図１に示したクローゼットの平面図である。
【図３】図１に示したクローゼットにおける棚板及び係止爪金具等を示した斜視図である。
【図４】図１に示したクローゼットにおけるハンガーパイプを示した図であり、同図（ａ）はハンガーパイプの全体斜視図であり、同図（ｂ）はハンガーパイプを棚受けレールへ係止する様子を示した部分拡大斜視図である。
【図５】図１に示したクローゼットにおけるハングバーを示した図であり、同図（ａ）はハングバーの正面図であり、同図（ｂ）は壁に取り付けられた状態でのハングバーの断面図である。
【図６】図１に示したクローゼットにおける棚板等の他のレイアウトを示した斜視図である。
【図７】図１に示したクローゼットにおけるデスク天板等のレイアウトを示した斜視図である。
【図８】図７に示したクローゼットにおけるデスク天板及び係止爪金具等を示した斜視図である。
【図９】図８に示したデスク天板の桟木を棚受けレールへ係止する様子を示した拡大斜視図である。
【図１０】本発明の一実施形態に係るクローゼットの家屋内での配置例を示した間取り図である。
【図１１】本発明の一実施形態に係るクローゼットの家屋内での他の配置例を示した間取り図である。
【図１２】同図（ａ）は図１のクローゼットと異なる寸法を有する本発明の一実施形態に係るクローゼットの平面図であり、同図（ｂ）は同斜視図である。
【発明を実施するための最良の形態】
【００１５】
次に、この発明の実施形態に係るクローゼットを添付図面に基づいて具体的に説明する。なお、本発明に係るクローゼットは、下記の実施形態に示したものに限定されず、その要旨を変更しない範囲において適宜変更して実施できるものである。
【００１６】
図１はこの実施形態のクローゼット１を示した斜視図である。この斜視図ではクローゼット１の外形を破線で示すと共にクローゼット１内に配置される金具や棚類並びにクローゼット１の上縁については実線で示している。また、図２は、図１に示したクローゼット１の平面図であり、各箇所の寸法を示すと共にクローゼット１の収納空間を略四角形状の破線で示している。
【００１７】
上記の図１及び図２に示したクローゼット１におけるクローゼット空間２は、前面壁３と奥側壁４と左側壁５と右側壁６と天井とに囲われることによって形成されている。そして、前記の前面壁３及び奥側壁４の横幅（クローゼット空間２の幅）は約１７０ｃｍとしている。また、前記左側壁５及び右側壁６の幅（クローゼット空間２の奥行）は約８０ｃｍとしており、クローゼット空間２の高さは約２４０ｃｍとしている。
【００１８】
そして、前面壁３の中央位置から幾分ずれた位置に人が出入りするための開口３ａが形成されている。前記の前面壁３は、前記開口３ａによって左前壁部３１と右前壁部３２とに分けられている。前記開口３ａの幅は約７５ｃｍであり、左前壁部３１の幅は約５５ｃｍとし、右前壁部３２の幅は約４０ｃｍとしている。前記開口３ａには折戸型の扉３３が設けられている。この折戸型の扉３３は前記の幅が狭い方の右前壁部３２の側に折り畳まれるように設けてある。前記折戸型の扉３３の折り畳まれた状態の扉幅（開口３ａを狭める方向の寸法）は約１５ｃｍ以内としており、この扉３３を折り畳んで得られる出入口の横幅は約６０ｃｍとなる。この折り畳まれた状態の扉幅である約１５ｃｍに前記狭い方の右前壁部３２の幅である約４０ｃｍを加算した寸法は、前記広い方の左前壁部３１の幅寸法である約５５ｃｍに略等しい。なお、前記折戸型の扉３３は、床及び天井に設置された図示しない上下ガイドレールによってガイドされるようにしてもよいし、天井に設置された上部ガイドレールのみによって垂下状態でガイドされるようになっていてもよい。
【００１９】
前記クローゼット空間２には、前記開口３ａから前記奥側壁４の方向への入り込みを許容するウォークイン空間が存在しており、当該クローゼット空間２は、前記左前壁部３１から前記奥側壁４に至る左側クローゼット空間２Ａと、前記右前壁部３２から前記奥側壁４に至る右側クローゼット空間２Ｂとに分けられる。ここで、左側クローゼット空間２Ａ及び右側クローゼット空間２Ｂの想定の利用奥行（図２において左右方向）についてはそれぞれ約５５ｃｍに設定される。これは奥行５５ｃｍ以内の引出し収納家具等が納まる空間としての利用を想定していることによる。
【００２０】
更に、前記ウォークイン空間に臨む前記奥側壁４の近傍領域は中央奥クローゼット空間２Ｃとしての利用を想定している。この中央奥クローゼット空間２Ｃは、この実施形態ではハングバー７４を配置することによってカバン等を掛け置くのに利用できる収納空間とされる。
【００２１】
そして、上記図１に示したように、左側クローゼット空間２Ａを構成している前記左前壁部３１の内側面には、垂直方向に配置した２本の棚受けレール７１・７１が図示しないビスによって固定されている。前記の棚受けレール７１は、通称ダボレールと呼ばれており、長手方向に一定の間隔で多数の係止穴７１ａ…（図４（ｂ）参照）を有している。そして、前記奥側壁４にも２本の棚受けレール７１・７１が前記左前壁部３１の棚受けレール７１・７１の位置に合わせて垂直方向に取り付けられている。左側壁５とこの左側壁５に近い位置に設けられる棚受けレール７１との間隔は約５ｃｍとしており、左側壁５とこの左側壁５から遠い位置に設けられる棚受けレール７１との間隔は約２８ｃｍとしている。そして、各側における二つの棚受けレール７１・７１の間隔（壁から近い位置の棚受けレール７１と遠い位置の棚受けレール７１との間隔）は約２３ｃｍとなっている。
【００２２】
前記棚受けレール７１の長さは約１８５ｃｍであり、その一端はクローゼット１の天井近くに位置している。クローゼット空間２の高さは先述のごとく約２４０ｃｍとしているので、この場合は前記棚受けレール７１の他端は床から約５５ｃｍの高さに位置する。
【００２３】
図３は、係止爪金具８０及び棚板７２を示した斜視図である。前記棚板７２の奥行寸法（短辺寸法）は約２９ｃｍである。前記棚板７２の短辺側縁の下面の２カ所に半円筒状の凹部７２ａが形成されている。この２カ所の半円筒状の凹部７２ａの間隔は前記二つの棚受けレール７１・７１の間隔（約２３ｃｍ）と同じとされる。前記係止爪金具８０は、前記半円筒状の凹部７２ａに嵌合する円柱部及びこの円柱部に固定される爪部とから成り、この爪部が棚受けレール７１の係止穴７１ａに係止されると前記円柱部が前記棚受けレール７１から突出するように構成してある。そして、４つの係止爪金具８０を上記の４本の棚受けレール７１の同じ高さの係止穴７１ａにそれぞれ係止させて突出状態の４つの係止爪金具８０を配置すると、これら４つの係止爪金具８０によって前記棚板７２を支持できるようになる。なお、前記係止爪金具８０において、前記円柱部の中心軸方向にねじ穴を形成すると共に前記爪部にねじ部を形成し、この爪部のねじ部を前記円柱部のねじ穴に螺合させる構造を採用することも可能である。
【００２４】
更に、図１に示したように、前記右側クローゼット空間２Ｂを構成している前記右前壁部３２の内側面には、垂直方向に配した１本の棚受けレール７１が図示しないビスによって固定されている。この１本の棚受けレール７１は右側壁６から約２８ｃｍ離間して配置されている。そして、前記奥側壁４にも１本の棚受けレール７１が右側壁６から約２８ｃｍ離間して配置されている。
【００２５】
図４（ａ）は、係止具７３ａを離脱させた状態のハンガーパイプ７３を示した斜視図であり、同図（ｂ）はハンガーパイプ７３の一端側の係止具７３ａを棚受けレール７１の係止穴７１ａに係止する様子を示した斜視図である。前記係止具７３ａには前記ハンガーパイプ７３が嵌入される円筒部及びこの円筒部から突出形成された二つの上下並びの爪部を有する。これら二つの爪部を前記棚受けレール７１における上下方向に並ぶ二つの係止穴７１ａに差し入れて下方に押さえ込むことで係止具７３ａの係止が行われ、前記ハンガーパイプ７３は右側壁６と平行な方向（クローゼット空間２の奥行方向）に配置されることになる。
【００２６】
図５（ａ）はハングバー７４を示した正面図であり、同図（ｂ）はハングバー７４の取付状態を示した断面図である。このハングバー７４は、図１にも示しているように、ウォークイン空間の突き当たり（中央奥クローゼット空間２Ｃ）となる奥側壁４の壁面に固定されている。前記奥側壁４の裏面には床面から約１９０cｍの高さ位置に間仕切りパネル桟１１が存在している。そして、この間仕切りパネル桟１１の高さに合わせた高さにハングバー７４を位置させ、複数の留めビス７４ａを前記ハングバー７４に挿通して前記間仕切りパネル桟１１にねじ込むことでハングバー７４を前記奥側壁４に固定している。
【００２７】
前記ハングバー７４の本体正面には横方向に支持溝７４ｃが形成されており、この支持溝７４ｃに複数のフック７４ｂが支持される。各フック７４ｂは、前記支持溝７４ｃ内に位置する第１鍔状部７４ｄと前記本体正面の外側に位置する第２鍔状部７４ｅとを有しており、例えば第２鍔状部７４ｅがフック７４ｂの軸状部分に螺合された構造を有する場合、第２鍔状部７４ｅを緩めてフック７４ｂを所望の箇所に移動させ、その後に第２鍔状部７４ｅを締めてフック７４ｂを固定することができる。また、ハングバー７４の本体両サイドのエンドキャップ７４ｆを外すことで、フック７４ｂの取り外しや交換が行える。
【００２８】
このように、前記クローゼット空間２は、前記ウォークイン空間と、このウォークイン空間を挟む左側クローゼット空間２Ａ及び右側クローゼット空間２Ｂとに機能的に分けられることになり、利用者Ｕ（図２参照）は前記ウォークイン空間に足を踏み入れ、前記左側クローゼット空間２Ａまたは右側クローゼット空間２Ｂを利用して衣類等を収納したり、或いは収納している衣類等を取り出すことができるようになる。すなわち、前記クローゼット空間２が前記ウォークイン空間と左側クローゼット空間２Ａと右側クローゼット空間２Ｂとに機能的に分けられたことによって、収納における作業及び空間利用が共に効率的に行えるようになる。そして、例えば、前記左側クローゼット空間２Ａと右側クローゼット空間２Ｂの一方を女性用とし他方の空間を男性用として仕分けして利用すれば、衣類等の管理も行いやすくなる。
【００２９】
また、前記左側クローゼット空間２Ａ及び右側クローゼット空間２Ｂにはハンガーパイプ７３及び棚板７２を設置高さ調整可能に配置させる棚受けレール７１（レール構造部）が設けられているので、当該クローゼットにおける収容態様を、住む人の暮らしに合わせて容易に変化させていくことができる。そして、このように変化させることにおいて、住む人が自らの手でクローゼット内の壁面に棚を釘で打ちつけて固定したり、後にこの棚を外すなどの作業を不要にすることができる。また、図１に示したように、ハンガーパイプ７３を２段に配置し、下段のハンガーパイプ７３においてオンシーズンの洋服を掛け、上段のハンガーパイプ７３にオフシーズンの洋服を掛けることで、衣類の収納管理が良好に行えることになる。
【００３０】
更に、この実施形態では、ウォークイン空間の突き当たりとなる奥側壁４にハングバー７４を配置することで、中央奥クローゼット空間２Ｃとしての利用を実現しているので、収納における作業及び空間利用が更に効率的に行えることになる。なお、前記ハングバー７４の横幅はこの実施形態では約９０ｃｍとしているが、前記の左側・右側クローゼット空間２Ａ・２Ｂでの収納に対する干渉を極力低減するために、前記ハングバー７４の横幅を例えば前記開口３ａの出入口横幅と同じ寸法の約６０ｃｍとすることも考えられる。
【００３１】
更に、この実施形態では、前記前面壁３における左前壁部３１の幅は右前壁部３２の幅よりも広く、広い方の壁部（左前壁部３１）に対応する左側クローゼット空間２Ａにおいて前記棚板７２を配置できるように前記４本の棚受けレール７１を設け、狭い方の壁部（右前壁部３２）に対応する右側クローゼット空間２Ｂには前記ハンガーパイプ７３を配置できるように前記２本の棚受けレール７１を設けている。このように、前記前面壁３における左前壁部３１及び右前壁部３２の幅を相違させることで、前記左側クローゼット空間２Ａ及び右側クローゼット空間２Ｂにおいて異なる収容態様を実現しやすくなる。
【００３２】
更に、この実施形態では、前記ハンガーパイプ７３は前記右側壁６から少なくとも約２８ｃｍ離間して配置される。ハンガー８５（図１参照）に掛けた衣類の肩幅は約５５ｃｍであるから、前記ハンガーパイプ７３に衣類を掛けた際の衣類と前記右側壁６との隙間を極力小さくして余剰スペースを極力少なくしつつ、衣類が前記壁に当たって傾いたりするのを極力防止することができる。
【００３３】
更に、この実施形態では、前記開口３ａにおける出入口横幅は少なくとも約６０ｃｍの幅を有している。身体の前で手を合わせた幅は平均で約６０ｃｍであるので、利用者は物を持っていても扉３３等にぶつからずに前記開口３ａから出入りすることが可能になる。もちろん、出入口横幅を平均よりも大きい値の幅に設定することとしてもよい。
【００３４】
更に、この実施形態では、前記棚受けレール７１は約１８５ｃｍの長さを有し天井近くから配置されており、ハンガーパイプ７３を２段或いは３段配置することが可能であり、ハンガー掛け衣類に対する収納力を高くすることができる。そして、人が手を伸ばして届く高さは一般に身長の１．２倍程度であると言われており、平均身長の大人女性（１５８ｃｍ）の方であれば約１９０ｃｍの高さまで手が届くことになり、これに１０ｃｍを加算した２００ｃｍの高さに掛けたハンガーまで手が届くとされている。従って、平均身長の大人女性を考慮して、最も上側のハンガーパイプ７３を床から約２００ｃｍの箇所に配置することが考えられる。もちろん、棚受けレール７１を採用しているので、使う方の身長に合わせてハンガーパイプ７３の最高高さを調整できることになる。
【００３５】
更に、前記棚板７２が配置できる前記棚受けレール７１は前記ハンガーパイプ７３も配置できる構造である。これであれば、例えば、図６に示すように、棚板７２を支持する４本の棚受けレール７１のうち壁から遠い側の２本の棚受けレール７１を利用し、棚板７２の下面側に前記ハンガーパイプ７３を配置して洋服の収納空間とし、前記棚板７２の上側の空間を箱類の収納空間とすることが可能になる。
【００３６】
更に、図７に示すように、このクローゼット１においては、前記棚受けレール７１にデスク天板７５を取り付けることが可能である。このデスク天板７５は、図８にも示すように、２本の桟木７６・７６によって支持される。デスク天板７５の短辺側縁の下面の２カ所に縦方向に円筒穴が形成されており、各円筒穴に円柱状金具７５ａが嵌合されている。そして、桟木７６の上面には前記円筒穴に対応した位置に縦方向に円筒穴が形成されており、これら円筒穴に前記円柱状金具７５ａが嵌合される。このような円筒穴と円柱状金具７５ａとの嵌合によってデスク天板７５が前記桟木７６に支持固定されることになる。
【００３７】
そして、図９にも示しているように、各桟木７６の側面の２カ所に横方向に貫通円筒穴７６ａが形成されている。これら二つの貫通円筒穴７６ａは前記棚受けレール７１・７１の配置間隔に一致した間隔で形成される。そして、４本の棚受けレール７１における同高さの４つの係止穴７１ａに取り付けられた４つの係止爪金具８０の円柱部を各貫通円筒穴７６ａに嵌合させることで２本の桟木７６が４本の棚受けレール７１に支持固定される。
【００３８】
上記図７に示したように、左側クローゼット空間２Ａにおける４本の棚受けレール７１を利用してデスク天板７５を配置し、更に前記ウォークイン空間を利用してそこに椅子８１を配置すれば、左側クローゼット空間２Ａをデスク空間とした簡易な書斎としてクローゼット１を利用することができる。
【００３９】
また、図７において、左側クローゼット空間２Ａにおける４本の棚受けレール７１のうち左側壁５に近い側の２本の棚受けレール７１を利用してハンガーパイプ７３を配置してもよい。このハンガーパイプ７３と左側壁５との間には約５ｃｍの隙間があるので、例えばヘッドホンなどを掛け置くことが可能である。また、天板７５の下側に配置したハンガーパイプ７３に、膝掛けを掛けておくことも考えられる。
【００４０】
なお、図示はしなかったが、クローゼット１内の天井には電球が取り付けられており、クローゼット１の前面壁３には前記電球をオン／オフするための操作スイッチが設けられる。なお、この電球をオンしたときのクローゼット１内の明るさは、図７においてパーソナルコンピュータ８２を操作したり読書をする上で十分となるように設定されていてもよい。もちろん、クローゼット１全体においてこのような十分な明るさを確保するのではなく、前記デスク天板７５上に配置する電気スタンド、或いは、棚板７２等にクリップ装着できる簡易照明具によって前記デスク天板７５上で十分な明るさを得るようにしてもよい。なお、クローゼット１内の壁面には前記電気スタンド等に電力を供給するための商用電源用コンセントを設けておく。
【００４１】
また、このような簡易書斎としての利用を想定して、クローゼット１内の壁面にアンテナ接続部を設けておいてもよい。例えば、前記パーソナルコンピュータ８２に接続する放送受信チューナのアンテナ接続端子を前記壁面のアンテナ接続部に接続すれば、室内アンテナではなくて屋外アンテナを用いた放送受信が行えることになる。
【００４２】
また、このような簡易書斎としての利用を想定して、クローゼット１を構成している各壁３，４，５及び６を防音壁とするようにしてもよい。例えば、図５（ｂ）に示した壁構造において、壁内部（２枚の石膏ボード間の空間）に、吸音材（例えば、低難燃性のスポンジ吸音材、グラスウール、ロックウールなど）を設けることが考えられる。
【００４３】
図１０は本発明の一実施形態に係るクローゼット１の家屋内での配置態様を示した平面図である。この図１０では、クローゼット１は玄関９１に隣接されるシューズクロークとして利用される。すなわち、靴を履いた状態で玄関９１にいて折戸型の扉３３を開ければ、靴を履いたままクローゼット１内に足を踏み入れることができる。このクローゼット１にシューズ等を収容する他、ゴルフバックやベビーカーを収納しておくこともできる。
【００４４】
図１１は、図１０に示すのと同じ間取りの家屋においてクローゼット１をシューズクロークとしてではなく、リビング９２に隣接するリビングクロークとして利用する形態を示している。この図１１に示すクローゼット１においては、前記図７に示したクローゼットのような簡易書斎としの利用や、来客時にリビング９２内の不要物を臨時収容するための空間として利用することを想定している。そして、このような図１０及び図１１に示したような同じ間取りで設けたクローゼット１の利用としては、シューズクロークとして何年か利用した後に、リビングクロークとして利用すること、或いはその逆の利用が間取り変更を伴わずに比較的容易に行えることになる。
【００４５】
なお、以上に示した実施形態では、前記開口３ａを前面壁３の中央位置よりずらして形成し、左前壁部３１の幅と右前壁部３２の幅を異ならせ、前記扉３３が折り畳まれた状態の扉幅に前記右前壁部３２の幅を加算した寸法を、前記左前壁部３１の幅寸法に略等しくするようにしたが、これに限らない。前記開口３ａを前面壁３の中央に形成してもよいし、また、前記扉３３が折り畳まれた状態の扉幅に前記右前壁部３２の幅を加算した寸法が前記左前壁部３１の幅寸法と異なるようにしてもよい。また、前記開口３ａを開閉する扉は、折戸型の扉３３に限るものではなく、他の形態の開閉扉（戸）を用いることもできる。更に、以上に示した実施形態では、左側クローゼット空間２Ａの側にのみ４本の棚受けレール７１を配置して棚板７２を配置できるようにしたが、右側クローゼット空間２Ｂの側にも４本の棚受けレール７１を配置して棚板７２を配置できるようにしてもよい。
【００４６】
また、図示はしていないが、クローゼット１においてその奥側壁４にも開口及び扉を設けた場合には、ウォークスルー型のクローゼットとしての利用が可能になる。
【００４７】
図１２（ａ）（ｂ）は、図１のクローゼット１とは異なる寸法を有するクローゼット１Ａを示している図である。図１に示したクローゼット１の横幅寸法は、その奥行寸法（約８０ｃｍ）の約２．０倍であるに対し、図１２（ａ）（ｂ）に示したクローゼット１Ａの横幅寸法は、その奥行寸法（約８０ｃｍ）の約１．５倍となっている。このクローゼット１Ａにおけるクローゼット空間２は、クローゼット１と同様に、左前壁部３１から前記奥側壁４に至る左側クローゼット空間２Ａと、前記右前壁部３２から前記奥側壁４に至る右側クローゼット空間２Ｂとに分けられている。そして、右側クローゼット空間２Ｂにおける利用奥行（図１２（ａ）において左右方向）については、クローゼット１と同様に、約５５ｃｍに設定されているが、左側クローゼット空間２Ａの利用奥行については約２０ｃｍと浅く設定されている。
【００４８】
そして、前記左側クローゼット空間２Ａを構成している左前壁部３１の内側面には、垂直方向に配置した２本の棚受けレール７１・７１が固定されており、奥側壁４にも２本の棚受けレール７１・７１が前記左前壁部３１の棚受けレール７１・７１の位置に合わせて垂直方向に取り付けられている。これら４つの棚受けレール７１を用いて１枚又は複数枚の棚板７２Ａを配置することができる。前記棚板７２Ａの奥行寸法（短辺寸法）は約２０ｃｍとしており、図１等に示した棚板７２よりも奥行は小さい。そして、この奥行の長さに対応して、隣り合う棚受けレール７１・７１の間隔は２０ｃｍよりも小さくなっている。
【００４９】
このようなクローゼット１Ａにおいても、ウォークイン空間を挟む一方のクローゼット空間には棚板７２Ａが配置され、他方のクローゼット空間にはハンガーパイプ７３が配置される構成が実現できるので、図１のクローゼット１と同様に、収納が効率よく行えることになる。また、このクローゼット１Ａでは、左側クローゼット空間２Ａは約２０ｃｍの利用奥行となるものの、棚受けレール７１にデスク天板７５を取り付けて書斎として利用ことが可能である。勿論、右側クローゼット空間２Ｂにも４つの棚受けレール７１を設けておき、この右側クローゼット空間２Ｂにおいてデスク天板７５を取り付けることができるようにしてもよいものである。
【００５０】
なお、建物室内に図１２に示したクローゼット１Ａの他に収納棚が設けられる場合に、この収納棚を構成する棚板として前記棚板７２Ａを用いることができるようにしてもよい。すなわち、クローゼット及び収納棚が設けられる建物室内構造において、前記収納棚は棚板を複数段配置して成り、この収納棚を構成する棚板はクローゼットに設けられる棚板と兼用される（クローゼットと収納棚とで同一構造の棚板を用いる）ようにしてもよい。前記収納棚は例えば洗面所や脱衣室の壁面に形成された凹空間において、前記クローゼットにおける左側クローゼット空間と同様に構成される。具体的には、前記収容棚内の左右の壁面には、それぞれ垂直方向に配置した２本の棚受けレール７１が固定される。これら４つの棚受けレールを用いて複数枚の棚板７２Ａを垂直方向に多段配置することができる。なお、前記収納棚の奥行については例えば２５ｃｍ程度とし、また、この収納棚の開口が開き扉や折戸型の扉によって閉じられるようにしておくのがよい。
【符号の説明】
【００５１】
１，１Ａ      クローゼット
２      クローゼット空間
２Ａ    左側クローゼット空間
２Ｂ    右側クローゼット空間
２Ｃ    中央奥クローゼット空間
３      前面壁
３ａ    開口
３１    左前壁部
３２    右前壁部
３３    折戸型の扉
４      奥側壁
５      左側壁
６      右側壁
７１    棚受けレール
７２，７２Ａ    棚板
７３    ハンガーパイプ
７４    ハングバー
８０    係止爪金具
９１    玄関
９２    リビング
【図１】
2011179221.tif 000003
【図２】
2011179221.tif 000004
【図３】
2011179221.tif 000005
【図４】
2011179221.tif 000006
【図５】
2011179221.tif 000007
【図６】
2011179221.tif 000008
【図７】
2011179221.tif 000009
【図８】
2011179221.tif 000010
【図９】
2011179221.tif 000011
【図１０】
2011179221.tif 000012
【図１１】
2011179221.tif 000013
【図１２】
2011179221.tif 000014